【事件の表示】
　特願２００５−　２３８６１「選択的なＰＯ補正を利用したＤＶＤデコーディング方法及び装置」拒絶査定不服審判事件〔平成１７年　８月１１日出願公開、特開２００５−２１６４７７〕について、次のとおり審決する。
【結　論】
　本件審判の請求は、成り立たない。
【理　由】
第１　手続の経緯
　
　本願は、平成１７年１月３１日（パリ条約による優先権主張２００４年１月３１日、大韓民国、２００４年９月２４日、アメリカ合衆国）の出願であって、平成２０年４月８日付け拒絶理由通知に対して同年７月９日付けで手続補正がなされたが、同年７月２８日付けで拒絶査定がされた。これに対し、同年１１月４日付けで拒絶査定不服審判が請求されるとともに、同年１１月２８日付けで手続補正がなされた。
　その後、平成２２年１０月１９日付けで前置報告書の内容に基づき審尋がなされ、平成２３年１月２６日付けで回答書が提出されたものである。
　
第２　平成２０年１１月２８日付けの手続補正についての補正却下の決定
　
［補正却下の決定の結論］
　平成２０年１１月２８日付けの手続補正を却下する。
　
［理由］
１．平成２０年１１月２８日付けの手続補正（以下「本件補正」という。）について
　本件補正は、特許請求の範囲についてするもので、補正前に、
「【請求項１】
　ＤＶＤフォーマットデータの復調されたＥＣＣブロックを受信する段階と、
　前記復調されたＥＣＣブロックを選択的にＰＩ補正する段階と、
　前記ＰＩ補正されたブロックをローとカラムとのアレイとして扱う段階と、
　前記ＰＩ補正されたブロックに基づいて、ＰＯシンドロームを生成する段階と、
　前記ＰＯシンドロームに基づいて、前記ＰＩ補正されたブロック内の任意の間違ったカラムを識別する段階と、
　前記ＰＩ補正されたブロック内のＰＯ補正されるブロックの任意の間違ったカラムを識別する段階と、
　前記間違ってＰＩ補正されたカラムのみを選択的にＰＯ補正して、ＥＣＣブロックのデコーディングされたバージョンを獲得する段階と、を備えることを特徴とするＤＶＤフォーマットデータのデコーディング方法。
　【請求項２】
　前記選択的にＰＯ補正する段階は、
　あらゆるＰＩ補正されたブロック未満で、ＰＯ補正されることを特徴とする請求項１に記載のＤＶＤフォーマットデータのデコーディング方法。
　【請求項３】
　前記ＰＩ補正する段階は、
　ロー・バイ・ロー・ベーシスに基づいて選択的に補正し、
　前記復調されたＥＣＣブロックをローとカラムとのアレイとして扱う段階と、
　ＰＩ補正を必要とする全体復調されたＥＣＣブロックの部分をＰＩ補正するために、前記ＰＩ補正段階を反復する段階と、をさらに備えることを特徴とする請求項１に記載のＤＶＤフォーマットデータのデコーディング方法。
　【請求項４】
　ＰＩ補正されたローが生成されれば、前記復調されたＥＣＣブロックの該当データを前記ＰＩ補正されたローのデータで上書きする段階をさらに備えることを特徴とする請求項３に記載のＤＶＤフォーマットデータのデコーディング方法。
　【請求項５】
　前記ＰＩ補正段階は、
　ロー・バイ・ロー・ベーシスに基づいて選択的補正を行い、
　前記復調されたＥＣＣブロックをローとカラムとのアレイとして扱う段階と、
　ＰＩ補正を必要とする全体復調されたＥＣＣブロックの部分をＰＩ補正するために、前記ＰＩ補正する段階を反復する段階と、
　前記復調されたＥＣＣブロックでのＰＩ補正が必要なければ、生成したＰＩ補正されたデータのそれぞれのロー、または前記復調されたＥＣＣブロックの該当ローについての前記ＰＯシンドロームを連続的に修正するために、前記ＰＯシンドロームを生成する段階を反復する段階と、をさらに備えることを特徴とする請求項１に記載のＤＶＤフォーマットデータのデコーディング方法。
　【請求項６】
　ＰＩ補正されたローが生成されれば、前記復調されたＥＣＣブロックの該当データを前記ＰＩ補正されたローの前記データで上書きする段階をさらに備え、
　前記ＰＯシンドロームを生成する段階は、前記上書きが発生することと実質的に同時に反復されることを特徴とする請求項５に記載のＤＶＤフォーマットデータのデコーディング方法。
　【請求項７】
　前記復調されたＥＣＣブロックをローとカラムとのアレイとして扱う段階と、
　ＰＯシンドロームのバージョンｖ（０）の値を初期化する段階と、をさらに備え、
　前記ＰＩ補正する段階と、前記ＰＯシンドロームを生成する段階とは、
　ｉ＝１からｉ＝Ｎについて、ロー・バイ・ロー・ベーシスによって反復的に行うことによって同時に行われ、
　前記ＰＩ補正する段階と、前記ＰＯシンドロームを生成する段階とは、
　補正されたＰＩデータＰＩ＿ＣＯＲＲ＿ｒｏｗ（ｉ）を生成するために、前記復調されたＥＣＣブロックのローｒｏｗ（ｉ）をＰＩ補正する段階と、
　ＰＩ補正されたラインＰＩ＿ＣＯＲＲ＿ｌｉｎｅ（ｉ）と、ＰＯシンドロームの以前バージョンＰＯ＿シンドローム＿ｖ（ｋ−１）との関数として、ＰＯシンドロームのｋ番目バージョンＰＯ＿ｓｙｎｄｒｏｍｅ＿ｖ（ｋ）を形成する段階と、を備えることを特徴とする請求項１に記載のＤＶＤフォーマットデータのデコーディング方法。
　【請求項８】
　前記ＰＯシンドロームを生成する段階をｋ番目に反復する段階は、
　前記ＰＩ補正されたブロックのｉ番目ローと一連の係数とを乗算して積を生成する段階と、
　前記積をＰＯシンドロームＰＯ＿ｓｙｎｄｒｏｍｅ＿ｖ（ｋ−１）に加算して、循環的にＰＯシンドロームＰＯ＿ｓｙｎｄｒｏｍｅ＿ｖ（ｋ）を形成する段階と、を備えることを特徴とする請求項７に記載のＤＶＤフォーマットデータのデコーディング方法。
　【請求項９】
　前記一連の係数は、ガロアフィールド係数であり、前記積は、ガロアフィールド積であることを特徴とする請求項８に記載のＤＶＤフォーマットデータのデコーディング方法。　【請求項１０】
　前記ＰＩ補正されたデータのアレイ内のそれぞれのローについて、前記ＰＯシンドロームを連続的に修正するために、前記ＰＯシンドロームを生成する段階を反復する段階をさらに備えることを特徴とする請求項１に記載のＤＶＤフォーマットデータのデコーディング方法。
　【請求項１１】
　前記ＰＯシンドロームを生成する段階をｉ番目に反復する段階は、
　前記ＰＩ補正されたブロックのｉ番目ローと一連の係数とを乗算して積を生成する段階と、
　前記積を前記ＰＯシンドロームの以前バージョンｖ（ｋ−１）に加算して、循環的にＰＯシンドロームのバージョンｖ（ｋ）を形成する段階と、を備えることを特徴とする請求項１に記載のＤＶＤフォーマットデータのデコーディング方法。
　【請求項１２】
　前記一連の係数は、ガロアフィールド係数であり、前記積は、ガロアフィールド積であることを特徴とする請求項１１に記載のＤＶＤフォーマットデータのデコーディング方法。
　【請求項１３】
　前記ＰＯシンドロームをローとカラムとのアレイとして扱う段階をさらに備え、
　前記識別する段階は、
　前記ＰＯシンドローム内に任意の０でないカラムの存否を判断する段階であって、前記０でないカラムは１つ以上の０でないエントリを有する段階と、
　前記ＰＯシンドローム内の０でないカラムに対応する前記ＰＩ補正されたブロック内の任意のカラムを間違ったカラムとして扱う段階と、を備えることを特徴とする請求項１に記載のＤＶＤフォーマットデータのデコーディング方法。
　【請求項１４】
　ＤＶＤフォーマットデータの復調されたＥＣＣブロックを受信する段階と、
　前記復調されたＥＣＣブロックを選択的にＰＩ補正するために、ＥＣＣエンジンを使用する段階と、
　あらゆる前記ＰＩ補正されたブロック未満で選択的にＰＯ補正するために、ＥＣＣエンジンを使用する段階と、を備え、
　前記ＰＯ補正するために、ＥＣＣエンジンを使用する段階は、
　前記ＰＩ補正されたブロックに基づいて、ＰＯシンドロームを生成する段階と、
　前記ＰＯシンドロームに基づいて、前記ＰＩ補正されたブロック内の任意の間違ったカラムを識別する段階と、を備えることを特徴とするＤＶＤフォーマットデータのデコーディング方法。
　【請求項１５】
　前記ＰＯ補正する段階は、
　１つ以上のエラーを表す前記ＰＩ補正されたブロック内のカラムのみをＰＯ補正する段階を備えることを特徴とする請求項１４に記載のＤＶＤフォーマットデータのデコーディング方法。
　【請求項１６】
　前記ＰＩ補正するするために、ＥＣＣエンジンを使用する段階は、
　前記ＰＩ補正されたブロックをローとカラムとのアレイとして扱う段階と、
　ロー・バイ・ロー・ベーシスに基づいて、選択的にＰＩ補正する段階と、
　ＰＩ補正を必要とする全体復調されたＥＣＣブロックの部分をＰＩ補正するために、前記ＰＩ補正段階を反復する段階と、を備え、
　前記ＰＯ補正するために、ＥＣＣエンジンを使用する段階は、
　前記復調されたＥＣＣブロックでのＰＩ補正が必要なければ、生成されたＰＩ補正されたデータのそれぞれのロー、または前記復調されたＥＣＣブロックの該当ローについての前記ＰＯシンドロームを連続的に修正するために、前記ＰＯシンドロームを生成する段階を反復することを特徴とする請求項１５に記載のＤＶＤフォーマットデータのデコーディング方法。
　【請求項１７】
　ＤＶＤフォーマットデータの復調されたＥＣＣブロックが保存された外部メモリと、
　前記復調されたＥＣＣブロックを選択的にＰＩ補正し、当該ＰＩ補正されたブロックに基づいてＰＯシンドロームを生成するＰＯシンドローム発生部を備えるＥＣＣエンジンと、
前記ＰＯシンドローム発生部が生成したＰＯシンドロームを保存する内部メモリと、
　前記内部メモリに保存されたＰＯシンドロームに基づいて、ＰＯ補正を受け取らなければならない前記ＰＩ補正されたブロック内の任意の間違ったカラムを識別し、ＥＣＣブロックのデコーディングされたバージョンを獲得するために、前記ＥＣＣエンジンが前記間違ってＰＩ補正されたカラムのみを選択的にＰＯ補正可能にするＰＯ決定ロジックと、を備えることを特徴とするＤＶＤフォーマットデータのデコーディング装置。
　【請求項１８】
　前記ＰＯ決定ロジックは、
　前記あらゆるＰＩ補正されたブロック未満でＰＯ補正されるように、さらに動作可能なことを特徴とする請求項１７に記載のＤＶＤフォーマットデータのデコーディング装置。
　【請求項１９】
　前記復調されたＥＣＣブロックは、ローとカラムとのアレイとして扱われ、
　前記ＥＣＣエンジンは、ロー・バイ・ロー・ベーシスに基づいて、反復的に選択的ＰＩ補正を行うように、さらに動作可能なことを特徴とする請求項１７に記載のＤＶＤフォーマットデータのデコーディング装置。
　【請求項２０】
　ＰＩ補正されたローが生成されれば、前記復調されたＥＣＣブロックの該当データを前記ＰＩ補正されたローの前記データで上書きするように、さらに動作可能なことを特徴とする請求項１９に記載のＤＶＤフォーマットデータのデコーディング装置。
　【請求項２１】
　前記ＥＣＣエンジンは、ロー・バイ・ロー・ベーシスに基づいて選択的にＰＩ補正するように、さらに動作可能であり、
　前記ＰＯシンドローム発生部は、前記復調されたＥＣＣブロックでのＰＩ補正が必要なければ、前記ＥＣＣエンジンにより生成されたＰＩ補正されたデータのそれぞれのローについて、または前記復調されたＥＣＣブロックの該当ローについて、前記ＰＯシンドロームを連続的に補正するために、前記ＰＯシンドロームを反復的に生成するように、さらに動作可能なことを特徴とする請求項１７に記載のＤＶＤフォーマットデータのデコーディング装置。
　【請求項２２】
　前記ＥＣＣエンジンは、ＰＩ補正されたローが生成されれば、前記復調されたＥＣＣブロックの該当データを前記ＰＩ補正されたローのデータで上書きするように、さらに動作可能であり、
　前記ＰＯシンドローム発生部は、前記上書きが発生することと実質的に同時に、前記ＰＯシンドロームの発生を反復するように、さらに動作可能なことを特徴とする請求項２１に記載のＤＶＤフォーマットデータのデコーディング装置。
　【請求項２３】
　前記復調されたＥＣＣブロックは、ローとカラムとの配列として扱われ、
　前記ＰＯシンドローム発生部は、ＰＯシンドロームのバージョンｖ（０）の値を初期化するするように、さらに動作可能であり、
　前記ＥＣＣエンジンと、前記ＰＯシンドローム発生部とが、ｉ＝１からＩ＝Ｎについて、ロー・バイ・ロー・ベーシスによって反復的に行うようにさらに協同して動作可能であり（Ｎは、前記復調されたＥＣＣブロックの個数）、
　前記ＥＣＣエンジンは、前記復調されたＥＣＣブロックのローｒｏｗ（ｉ）をＰＩ補正して、その補正されたＰＩデータＰＩ＿ＣＯＲＲ＿ｒｏｗ（ｉ）を選択的に生成し、
　前記ＰＯシンドローム発生部は、ＰＯシンドロームＰＯ＿ｓｙｎｄｒｏｍｅ＿ｖ（ｋ−１）及びＰＩ補正されたラインＰＩ＿ＣＯＲＲ＿ｌｉｎｅ（ｉ）、または前記復調されたＥＣＣブロックでのＰＩ補正が必要なければ、前記復調されたＥＣＣブロックの該当ローの関数として、ｋ番目ＰＯシンドロームＰＯ＿ｓｙｎｄｒｏｍｅ＿ｖ（ｋ）を形成することを特徴とする請求項１７に記載のＤＶＤフォーマットデータのデコーディング装置。
　【請求項２４】
　ｉ番目の反復について、前記シンドローム発生部は、前記ＰＩ補正されたブロックのｉ番目のローを一連の係数と乗算して積を生成し、
　前記積をＰＯシンドロームの以前バージョンｖ（ｋ−１）に加算することによって、前記ＰＯシンドロームのバージョンｖ（ｋ）を反復的に形成するように、さらに動作可能なことを特徴とする請求項２３に記載のＤＶＤフォーマットデータのデコーディング装置。
　【請求項２５】
　前記一連の係数は、ガロアフィールド係数であり、前記積は、ガロアフィールド乗であることを特徴とする請求項２４に記載のＤＶＤフォーマットデータのデコーディング装置。
　【請求項２６】
　前記ＰＯシンドローム発生部は、
　ｉ番目の反復が、前記ＰＩ補正されたブロックのｉ番目のローを一連の係数と乗算して積を生成し、前記積を前記ＰＯシンドロームの以前バージョンｖ（ｋ−１）に加算することによって、前記ＰＯシンドロームのバージョンｖ（ｋ）を反復的に形成するようにすることによって、
　反復的に動作可能なことを特徴とする請求項１７に記載のＤＶＤフォーマットデータのデコーディング装置。
　【請求項２７】
　前記一連の係数は、ガロアフィールド係数であり、前記積は、ガロアフィールド積であることを特徴とする請求項２６に記載のＤＶＤフォーマットデータのデコーディング装置。
　【請求項２８】
　前記ＰＯシンドロームは、ローとカラムとのアレイとして扱われ、
　前記ＰＯ決定ロジックは、前記ＰＯシンドローム内に任意の１つ以上の、０でないエントリを有する０でないカラムの存在可否を判断し、前記ＰＯシンドローム内の０でないカラムに対応する前記ＰＩ補正されたブロック内の任意の間違ったカラムとして扱うように、さらに動作可能なことを特徴とする請求項１７に記載のＤＶＤフォーマットデータのデコーディング装置。
　【請求項２９】
　ＤＶＤフォーマットデータの復調されたＥＣＣブロックを保存する外部メモリと、
　前記復調されたＥＣＣブロックを選択的にＰＩ補正するように動作可能なＥＣＣエンジンと、
　前記ＰＩ補正されたブロックに基づいて、ＰＯシンドロームを生成すると共に、該ＰＯシンドロームに基づいて、前記ＰＩ補正されたブロック内の任の間違ったカラムを識別し、前記ＥＣＣエンジンをして前記ＰＩ補正されたあらゆるブロック未満で、選択的にＰＯ補正せしめるＰＯ決定ロジックと、を備えることを特徴とするＤＶＤフォーマットデータのデコーディング装置。
　【請求項３０】
　前記ＰＯ決定ロジックは、１つ以上のエラーを表す前記ＰＩ補正されたブロック内のカラムのみを選択的にＰＯ補正するように、追加で動作可能なことを特徴とする請求項２９に記載のＤＶＤフォーマットデータのデコーディング装置。
　【請求項３１】
　前記ＥＣＣエンジンであるロー・バイ・ロー・ベーシスに基づいて、選択的にＰＩ補正するように、さらに動作可能であり、
　前記ＰＯ決定ロジックは、前記復調されたＥＣＣブロックでのＰＩ補正が必要なければ、前記ＥＣＣエンジンにより生成されたＰＩ補正されたデータのそれぞれのロー、または前記復調されたＥＣＣブロックの該当ローについて、連続的にＰＯシンドロームを修正するように、反復的にＰＯシンドロームを生成するように、さらに動作可能なことを特徴とする請求項２９に記載のＤＶＤフォーマットデータのデコーディング装置。
　【請求項３２】
　ＤＶＤフォーマットデータのＥＣＣブロックを受信する手段と、
　復調されたＥＣＣブロックを選択的にＰＩ補正する手段と、
　前記ＰＩ補正されたブロックに基づいて、ＰＯシンドロームを生成する手段と、
　前記ＰＯシンドロームに基づいて、ＰＯ補正されねばならないＰＩ補正されたブロック内の任意の間違ったカラムを識別する手段と、
　間違ってＰＩ補正されたカラムのみを選択的にＰＯ補正して、ＥＣＣブロックのデコーディングされたバージョンを獲得する手段と、を備えることを特徴とするＤＶＤフォーマットデータのデコーディング装置。」
とあったところを、
　
本件補正後、
「【請求項１】
　ＤＶＤフォーマットデータの復調されたＥＣＣブロックを受信する段階と、
　前記復調されたＥＣＣブロックを選択的にＰＩ補正する段階と、
　前記ＰＩ補正されたブロックをローとカラムとのアレイとして扱う段階と、
　前記ＰＩ補正されたブロックに基づいて、
ＰＩ補正されたブロック内に残っているエラーを判別するための
　前記ＰＯシンドロームに基づいて、前記ＰＩ補正されたブロック内の任意の間違ったカラムを識別する段階と、
　前記ＰＩ補正されたブロック内のＰＯ補正されるブロックの任意の間違ったカラムを識別する段階と、
　前記間違ってＰＩ補正されたカラムのみを選択的にＰＯ補正して、ＥＣＣブロックのデコーディングされたバージョンを獲得する段階と、を備えることを特徴とするＤＶＤフォーマットデータのデコーディング方法。
　【請求項２】
　前記選択的にＰＯ補正する段階は、
　あらゆるＰＩ補正されたブロック未満で、ＰＯ補正されることを特徴とする請求項１に記載のＤＶＤフォーマットデータのデコーディング方法。
　【請求項３】
　前記ＰＩ補正する段階は、
　ロー・バイ・ロー・ベーシスに基づいて選択的に補正し、
　前記復調されたＥＣＣブロックをローとカラムとのアレイとして扱う段階と、
　ＰＩ補正を必要とする全体復調されたＥＣＣブロックの部分をＰＩ補正するために、前記ＰＩ補正段階を反復する段階と、をさらに備えることを特徴とする請求項１に記載のＤＶＤフォーマットデータのデコーディング方法。
　【請求項４】
　ＰＩ補正されたローが生成されれば、前記復調されたＥＣＣブロックの該当データを前記ＰＩ補正されたローのデータで上書きする段階をさらに備えることを特徴とする請求項３に記載のＤＶＤフォーマットデータのデコーディング方法。
　【請求項５】
　前記ＰＩ補正段階は、
　ロー・バイ・ロー・ベーシスに基づいて選択的補正を行い、
　前記復調されたＥＣＣブロックをローとカラムとのアレイとして扱う段階と、
　ＰＩ補正を必要とする全体復調されたＥＣＣブロックの部分をＰＩ補正するために、前記ＰＩ補正する段階を反復する段階と、
　前記復調されたＥＣＣブロックでのＰＩ補正が必要なければ、生成したＰＩ補正されたデータのそれぞれのロー、または前記復調されたＥＣＣブロックの該当ローについての前記ＰＯシンドロームを連続的に修正するために、前記ＰＯシンドロームを生成する段階を反復する段階と、をさらに備えることを特徴とする請求項１に記載のＤＶＤフォーマットデータのデコーディング方法。
　【請求項６】
　ＰＩ補正されたローが生成されれば、前記復調されたＥＣＣブロックの該当データを前記ＰＩ補正されたローの前記データで上書きする段階をさらに備え、
　前記ＰＯシンドロームを生成する段階は、前記上書きが発生することと実質的に同時に反復されることを特徴とする請求項５に記載のＤＶＤフォーマットデータのデコーディング方法。
　【請求項７】
　前記復調されたＥＣＣブロックをローとカラムとのアレイとして扱う段階と、
　ＰＯシンドロームのバージョンｖ（０）の値を初期化する段階と、をさらに備え、
　前記ＰＩ補正する段階と、前記ＰＯシンドロームを生成する段階とは、
　ｉ＝１からｉ＝Ｎについて、ロー・バイ・ロー・ベーシスによって反復的に行うことによって同時に行われ、
　前記ＰＩ補正する段階と、前記ＰＯシンドロームを生成する段階とは、
　補正されたＰＩデータＰＩ＿ＣＯＲＲ＿ｒｏｗ（ｉ）を生成するために、前記復調されたＥＣＣブロックのローｒｏｗ（ｉ）をＰＩ補正する段階と、
　ＰＩ補正されたラインＰＩ＿ＣＯＲＲ＿ｌｉｎｅ（ｉ）と、ＰＯシンドロームの以前バージョンＰＯ＿シンドローム＿ｖ（ｋ−１）との関数として、ＰＯシンドロームのｋ番目バージョンＰＯ＿ｓｙｎｄｒｏｍｅ＿ｖ（ｋ）を形成する段階と、を備えることを特徴とする請求項１に記載のＤＶＤフォーマットデータのデコーディング方法。
　【請求項８】
　前記ＰＯシンドロームを生成する段階をｋ番目に反復する段階は、
　前記ＰＩ補正されたブロックのｉ番目ローと一連の係数とを乗算して積を生成する段階と、
　前記積をＰＯシンドロームＰＯ＿ｓｙｎｄｒｏｍｅ＿ｖ（ｋ−１）に加算して、循環的にＰＯシンドロームＰＯ＿ｓｙｎｄｒｏｍｅ＿ｖ（ｋ）を形成する段階と、を備えることを特徴とする請求項７に記載のＤＶＤフォーマットデータのデコーディング方法。
　【請求項９】
　前記一連の係数は、ガロアフィールド係数であり、前記積は、ガロアフィールド積であることを特徴とする請求項８に記載のＤＶＤフォーマットデータのデコーディング方法。　【請求項１０】
　前記ＰＩ補正されたデータのアレイ内のそれぞれのローについて、前記ＰＯシンドロームを連続的に修正するために、前記ＰＯシンドロームを生成する段階を反復する段階をさらに備えることを特徴とする請求項１に記載のＤＶＤフォーマットデータのデコーディング方法。
　【請求項１１】
　前記ＰＯシンドロームを生成する段階をｉ番目に反復する段階は、
　前記ＰＩ補正されたブロックのｉ番目ローと一連の係数とを乗算して積を生成する段階と、
　前記積を前記ＰＯシンドロームの以前バージョンｖ（ｋ−１）に加算して、循環的にＰＯシンドロームのバージョンｖ（ｋ）を形成する段階と、を備えることを特徴とする請求項１に記載のＤＶＤフォーマットデータのデコーディング方法。
　【請求項１２】
　前記一連の係数は、ガロアフィールド係数であり、前記積は、ガロアフィールド積であることを特徴とする請求項１１に記載のＤＶＤフォーマットデータのデコーディング方法。
　【請求項１３】
　前記ＰＯシンドロームをローとカラムとのアレイとして扱う段階をさらに備え、
　前記識別する段階は、
　前記ＰＯシンドローム内に任意の０でないカラムの存否を判断する段階であって、前記０でないカラムは１つ以上の０でないエントリを有する段階と、
　前記ＰＯシンドローム内の０でないカラムに対応する前記ＰＩ補正されたブロック内の任意のカラムを間違ったカラムとして扱う段階と、を備えることを特徴とする請求項１に記載のＤＶＤフォーマットデータのデコーディング方法。
　【請求項１４】
　ＤＶＤフォーマットデータの復調されたＥＣＣブロックを受信する段階と、
　前記復調されたＥＣＣブロックを選択的にＰＩ補正するために、ＥＣＣエンジンを使用する段階と、
　あらゆる前記ＰＩ補正されたブロック未満で選択的にＰＯ補正するために、ＥＣＣエンジンを使用する段階と、を備え、
　前記ＰＯ補正するために、ＥＣＣエンジンを使用する段階は、
　前記ＰＩ補正されたブロックに基づいて、
ＰＩ補正されたブロック内に残っているエラーを判別するための
　前記ＰＯシンドロームに基づいて、前記ＰＩ補正されたブロック内の任意の間違ったカラムを識別する段階と、を備えることを特徴とするＤＶＤフォーマットデータのデコーディング方法。
　【請求項１５】
　前記ＰＯ補正する段階は、
　１つ以上のエラーを表す前記ＰＩ補正されたブロック内のカラムのみをＰＯ補正する段階を備えることを特徴とする請求項１４に記載のＤＶＤフォーマットデータのデコーディング方法。
　【請求項１６】
　前記ＰＩ補正するするために、ＥＣＣエンジンを使用する段階は、
　前記ＰＩ補正されたブロックをローとカラムとのアレイとして扱う段階と、
　ロー・バイ・ロー・ベーシスに基づいて、選択的にＰＩ補正する段階と、
　ＰＩ補正を必要とする全体復調されたＥＣＣブロックの部分をＰＩ補正するために、前記ＰＩ補正段階を反復する段階と、を備え、
　前記ＰＯ補正するために、ＥＣＣエンジンを使用する段階は、
　前記復調されたＥＣＣブロックでのＰＩ補正が必要なければ、生成されたＰＩ補正されたデータのそれぞれのロー、または前記復調されたＥＣＣブロックの該当ローについての前記ＰＯシンドロームを連続的に修正するために、前記ＰＯシンドロームを生成する段階を反復することを特徴とする請求項１５に記載のＤＶＤフォーマットデータのデコーディング方法。
　【請求項１７】
　ＤＶＤフォーマットデータの復調されたＥＣＣブロックが保存された外部メモリと、
　前記復調されたＥＣＣブロックを選択的にＰＩ補正し、当該ＰＩ補正されたブロックに基づいて
、ＰＩ補正されたブロック内に残っているエラーを判別するための
前記ＰＯシンドローム発生部が生成したＰＯシンドロームを保存する内部メモリと、
　前記内部メモリに保存されたＰＯシンドロームに基づいて、ＰＯ補正を受け取らなければならない前記ＰＩ補正されたブロック内の任意の間違ったカラムを識別し、ＥＣＣブロックのデコーディングされたバージョンを獲得するために、前記ＥＣＣエンジンが前記間違ってＰＩ補正されたカラムのみを選択的にＰＯ補正可能にするＰＯ決定ロジックと、を備えることを特徴とするＤＶＤフォーマットデータのデコーディング装置。
　【請求項１８】
　前記ＰＯ決定ロジックは、
　前記あらゆるＰＩ補正されたブロック未満でＰＯ補正されるように、さらに動作可能なことを特徴とする請求項１７に記載のＤＶＤフォーマットデータのデコーディング装置。
　【請求項１９】
　前記復調されたＥＣＣブロックは、ローとカラムとのアレイとして扱われ、
　前記ＥＣＣエンジンは、ロー・バイ・ロー・ベーシスに基づいて、反復的に選択的ＰＩ補正を行うように、さらに動作可能なことを特徴とする請求項１７に記載のＤＶＤフォーマットデータのデコーディング装置。
　【請求項２０】
　ＰＩ補正されたローが生成されれば、前記復調されたＥＣＣブロックの該当データを前記ＰＩ補正されたローの前記データで上書きするように、さらに動作可能なことを特徴とする請求項１９に記載のＤＶＤフォーマットデータのデコーディング装置。
　【請求項２１】
　前記ＥＣＣエンジンは、ロー・バイ・ロー・ベーシスに基づいて選択的にＰＩ補正するように、さらに動作可能であり、
　前記ＰＯシンドローム発生部は、前記復調されたＥＣＣブロックでのＰＩ補正が必要なければ、前記ＥＣＣエンジンにより生成されたＰＩ補正されたデータのそれぞれのローについて、または前記復調されたＥＣＣブロックの該当ローについて、前記ＰＯシンドロームを連続的に補正するために、前記ＰＯシンドロームを反復的に生成するように、さらに動作可能なことを特徴とする請求項１７に記載のＤＶＤフォーマットデータのデコーディング装置。
　【請求項２２】
　前記ＥＣＣエンジンは、ＰＩ補正されたローが生成されれば、前記復調されたＥＣＣブロックの該当データを前記ＰＩ補正されたローのデータで上書きするように、さらに動作可能であり、
　前記ＰＯシンドローム発生部は、前記上書きが発生することと実質的に同時に、前記ＰＯシンドロームの発生を反復するように、さらに動作可能なことを特徴とする請求項２１に記載のＤＶＤフォーマットデータのデコーディング装置。
　【請求項２３】
　前記復調されたＥＣＣブロックは、ローとカラムとの配列として扱われ、
　前記ＰＯシンドローム発生部は、ＰＯシンドロームのバージョンｖ（０）の値を初期化するするように、さらに動作可能であり、
　前記ＥＣＣエンジンと、前記ＰＯシンドローム発生部とが、ｉ＝１からＩ＝Ｎについて、ロー・バイ・ロー・ベーシスによって反復的に行うようにさらに協同して動作可能であり（Ｎは、前記復調されたＥＣＣブロックの個数）、
　前記ＥＣＣエンジンは、前記復調されたＥＣＣブロックのローｒｏｗ（ｉ）をＰＩ補正して、その補正されたＰＩデータＰＩ＿ＣＯＲＲ＿ｒｏｗ（ｉ）を選択的に生成し、
　前記ＰＯシンドローム発生部は、ＰＯシンドロームＰＯ＿ｓｙｎｄｒｏｍｅ＿ｖ（ｋ−１）及びＰＩ補正されたラインＰＩ＿ＣＯＲＲ＿ｌｉｎｅ（ｉ）、または前記復調されたＥＣＣブロックでのＰＩ補正が必要なければ、前記復調されたＥＣＣブロックの該当ローの関数として、ｋ番目ＰＯシンドロームＰＯ＿ｓｙｎｄｒｏｍｅ＿ｖ（ｋ）を形成することを特徴とする請求項１７に記載のＤＶＤフォーマットデータのデコーディング装置。
　【請求項２４】
　ｉ番目の反復について、前記シンドローム発生部は、前記ＰＩ補正されたブロックのｉ番目のローを一連の係数と乗算して積を生成し、
　前記積をＰＯシンドロームの以前バージョンｖ（ｋ−１）に加算することによって、前記ＰＯシンドロームのバージョンｖ（ｋ）を反復的に形成するように、さらに動作可能なことを特徴とする請求項２３に記載のＤＶＤフォーマットデータのデコーディング装置。
　【請求項２５】
　前記一連の係数は、ガロアフィールド係数であり、前記積は、ガロアフィールド乗であることを特徴とする請求項２４に記載のＤＶＤフォーマットデータのデコーディング装置。
　【請求項２６】
　前記ＰＯシンドローム発生部は、
　ｉ番目の反復が、前記ＰＩ補正されたブロックのｉ番目のローを一連の係数と乗算して積を生成し、前記積を前記ＰＯシンドロームの以前バージョンｖ（ｋ−１）に加算することによって、前記ＰＯシンドロームのバージョンｖ（ｋ）を反復的に形成するようにすることによって、
　反復的に動作可能なことを特徴とする請求項１７に記載のＤＶＤフォーマットデータのデコーディング装置。
　【請求項２７】
　前記一連の係数は、ガロアフィールド係数であり、前記積は、ガロアフィールド積であることを特徴とする請求項２６に記載のＤＶＤフォーマットデータのデコーディング装置。
　【請求項２８】
　前記ＰＯシンドロームは、ローとカラムとのアレイとして扱われ、
　前記ＰＯ決定ロジックは、前記ＰＯシンドローム内に任意の１つ以上の、０でないエントリを有する０でないカラムの存在可否を判断し、前記ＰＯシンドローム内の０でないカラムに対応する前記ＰＩ補正されたブロック内の任意の間違ったカラムとして扱うように、さらに動作可能なことを特徴とする請求項１７に記載のＤＶＤフォーマットデータのデコーディング装置。
　【請求項２９】
　ＤＶＤフォーマットデータの復調されたＥＣＣブロックを保存する外部メモリと、
　前記復調されたＥＣＣブロックを選択的にＰＩ補正するように動作可能なＥＣＣエンジンと、
　前記ＰＩ補正されたブロックに基づいて、
ＰＩ補正されたブロック内に残っているエラーを判別するための
　【請求項３０】
　前記ＰＯ決定ロジックは、１つ以上のエラーを表す前記ＰＩ補正されたブロック内のカラムのみを選択的にＰＯ補正するように、追加で動作可能なことを特徴とする請求項２９に記載のＤＶＤフォーマットデータのデコーディング装置。
　【請求項３１】
　前記ＥＣＣエンジンであるロー・バイ・ロー・ベーシスに基づいて、選択的にＰＩ補正するように、さらに動作可能であり、
　前記ＰＯ決定ロジックは、前記復調されたＥＣＣブロックでのＰＩ補正が必要なければ、前記ＥＣＣエンジンにより生成されたＰＩ補正されたデータのそれぞれのロー、または前記復調されたＥＣＣブロックの該当ローについて、連続的にＰＯシンドロームを修正するように、反復的にＰＯシンドロームを生成するように、さらに動作可能なことを特徴とする請求項２９に記載のＤＶＤフォーマットデータのデコーディング装置。
　【請求項３２】
　ＤＶＤフォーマットデータのＥＣＣブロックを受信する手段と、
　復調されたＥＣＣブロックを選択的にＰＩ補正する手段と、
　前記ＰＩ補正されたブロックに基づいて、
ＰＩ補正されたブロック内に残っているエラーを判別するための
　前記ＰＯシンドロームに基づいて、ＰＯ補正されねばならないＰＩ補正されたブロック内の任意の間違ったカラムを識別する手段と、
　間違ってＰＩ補正されたカラムのみを選択的にＰＯ補正して、ＥＣＣブロックのデコーディングされたバージョンを獲得する手段と、を備えることを特徴とするＤＶＤフォーマットデータのデコーディング装置。」
とするものである。
　
　上記本件補正の内容は、本件補正前の、独立請求項である請求項１，１４，１７，２９及び３２の発明特定事項である「ＰＯシンドローム」について、「ＰＩ補正されたブロック内に残っているエラーを判別するための」との限定を付加するものであるから、平成１８年法律第５５号改正附則第３条第１項によりなお従前の例によるとされる同法による改正前の特許法第１７条の２第４項第２号に規定する特許請求の範囲の減縮を目的とするものに該当する。
　
　そこで、本件補正後の請求項３２に係る発明（以下「本願補正発明」という。）が特許出願の際独立して特許を受けることができるものであるか（平成１８年法律第５５号改正附則第３条第１項によりなお従前の例によるとされる同法による改正前の特許法第１７条の２第５項で準用する同法第１２６条第５項に規定する要件を満たすか）否かについて、以下検討する。
　
２．引用例
　
　原査定の拒絶の理由に引用された、本願の優先権主張の日前に頒布された刊行物である特開２００２−２０２９１９号公報（平成１４年７月１９日公開、以下「引用例」という。）には、図面と共に、以下の記載がある。（なお、下線は当審で付与した。）　
　
（１）「【００１５】まず、図１〜図８を参照して、
データ記憶再生装置における
誤り訂正回路の構成をＤＶＤ（デジタル・バーサタイル・ディスク）の例を用いて説明する
　
（２）「【００２２】図４を用いてＥＣＣブロックの構成について説明する。
【００２３】データブロックは、１７２バイト×１２行のデータセクタが１６個集まった１７２列×１９２行として形成される。この１７２列×１９２行に対してリードソロモン誤り訂正符号が生成されて付加される。まず、１７２列の各列に対して１６バイトの誤り訂正符号ＰＯが生成されて付加される。ＰＯ系列の各列は、１９２バイト＋１６バイト、すなわち２０８バイトで構成される。次に、誤り訂正符号ＰＯの行を含む２０８行すべての行に対して、１０バイトの誤り訂正符号ＰＩが生成され付加される。誤り訂正符号ＰＩ，ＰＯが付加された１８２列×２０８行が１つのＥＣＣブロックである。なお、ＰＯ，ＰＯの生成順序を逆にしても全く同じ符号パターンが得られる。
【００２４】上記
ＥＣＣブロックの縦方向の１列をＰＯ系列、横方向の１行をＰＩ系列と呼ぶ
　
（３）「【００３５】誤り検出及び訂正手段を含むデータ再生系は、記録データを再生する。再生処理では、再生された物理セクタのデータに誤りが発生した場合、
誤りを含んだＥＣＣブロックに対し誤り訂正符号を用いて誤り訂正を行う
【００３６】次に図８を参照してデータ再生側における誤り訂正符号生成処理方式を説明する。
記録媒体から読み込まれた再生データは、同期分離・復調手段２２１により、同期符号と分離された後、さらに８／１６変調データに対する復調が行なわれる。これにより記録セクタが取り出される。ただし記録データを記録、及び再生する際に、ディスクの欠陥や雑音、ジッタやクロストークなどが原因となり誤り（再生信号エラー）が発生するため、再生データには誤りが含まれる
【００３７】
取り出された記録セクタは、ＥＣＣメモリ２０５に順次格納され、１６記録セクタで構成される１８２列×２０８行のＥＣＣブロックが構成される
【００３８】
ＰＩ訂正手段２２３は、ＥＣＣブロックの各行に対して誤りパターン検出値シンドロームを計算し、誤りが検出された場合には、誤り訂正を行う。シンドロームは、本来のデータが誤り無く再生された場合には０となる
【００３９】
ＰＯ訂正手段２２２は、ＰＯ系列の２０８バイトのデータをメモリ２０５より取り出し、所定の演算を施す。この演算により、シンドロームが０でない場合は、そのＰＯ系列の誤り訂正を行なう
【００４０】１つのＰＯ系列に対して８バイト以上の誤りが存在する場合、ＰＯ訂正手段２２２により誤りを訂正することは不可能となる。しかし、この場合においても、ＰＩ訂正手段２２３によりＰＩ系列に対して最大５バイトの誤り訂正が可能であるため、１８２列に対してＰＯ訂正を施した時点で１つのＰＩ系列に含まれる誤りが５バイト以内であれば、その誤りを訂正可能である。
【００４１】さらに、ＰＯ訂正、ＰＩ訂正を繰り返すことで、
１回のＰＯ訂正、ＰＩ訂正
【００４２】
誤り訂正されたＥＣＣブロックは
バッファメモリ２０１に格納する
【００４３】ＥＤＣ誤り検出手段２２５は、データセクタに含まれている誤り検出符号（ＥＤＣ）４バイトを基にデータセクタの誤り検出し、誤りが検出された場合はそのセクタの再生をやり直す。
バッファメモリ２０１に格納されたデータセクタは、順次ホストに送信される
　
　
　上記摘示事項及び図面の記載を総合勘案すると、次の発明（以下「引用発明」という。）が記載されているものと認める。
　
「ＤＶＤの誤り訂正回路において、
　復調されたＥＣＣブロックの各行に対してシンドロームを計算し、誤りが検出された場合に誤り訂正を行うＰＩ訂正手段と、
　ＥＣＣブロックの縦方向のＰＯ系列のデータを取り出し、所定の演算により、シンドロームが０でない場合に誤り訂正を行うＰＯ訂正手段と、
を備えたＤＶＤの誤り訂正回路。」
　
３．対比
　
　そこで、本願補正発明と引用発明とを対比する。
　
（１）引用発明は、ＤＶＤの誤り訂正回路であるから、本願補正発明の「ＤＶＤフォーマットデータ」を対象としていることは明らかである。そして、引用発明と本願補正発明の「ＥＣＣブロック」は共通しているから、引用発明は、本願補正発明の「ＤＶＤフォーマットデータのＥＣＣブロックを受信する手段」に相当する構成を備えている。
（２）引用発明の「ＰＩ訂正手段」は、「復調されたＥＣＣブロックの各行に対してシンドロームを計算し、誤りが検出された場合に誤り訂正を行う」ものであるから、本願補正発明の「復調されたＥＣＣブロックを選択的にＰＩ補正する手段」に相当する。
（３）引用発明の「縦方向」は、本願補正発明の「カラム」に相当する。そして、引用発明の「ＰＯ訂正手段」は、「ＥＣＣブロックの縦方向のＰＯ系列のデータを取り出し、所定の演算により、シンドロームが０でない場合に誤り訂正を行う」ものであるから、引用発明は、本願補正発明の「前記ブロックに基づいて、ブロック内に残っているエラーを判別するためのＰＯシンドロームを生成する手段」「前記ＰＯシンドロームに基づいて、ＰＯ補正されねばならないブロック内の任意の間違ったカラムを識別する手段」及び「間違ったカラムのみを選択的にＰＯ補正して、ＥＣＣブロックのデコーディングされたバージョンを獲得する手段」に相当する構成を備えている。
（４）引用発明の「誤り訂正回路」は、本願補正発明の「デコーディング装置」に相当する。　
　
　　そうすると、本願補正発明と引用発明とは、次の点で一致する。
　
＜一致点＞
「ＤＶＤフォーマットデータのＥＣＣブロックを受信する手段と、
　復調されたＥＣＣブロックを選択的にＰＩ補正する手段と、
　前記ブロックに基づいて、ブロック内に残っているエラーを判別するためのＰＯシンドロームを生成する手段と、
　前記ＰＯシンドロームに基づいて、ＰＯ補正されねばならないブロック内の任意の間違ったカラムを識別する手段と、
　間違って（た）カラムのみを選択的にＰＯ補正して、ＥＣＣブロックのデコーディングされたバージョンを獲得する手段と、を備えるＤＶＤフォーマットのデコーディング装置。」の点。
　
　そして、次の点で相違する。
　
＜相違点＞
　本願補正発明は、「前記ＰＩ補正された」ブロックに基づいて、「ＰＩ補正された」ブロック内に残っているエラーを判別し、前記ＰＯシンドロームに基づいて、ＰＯ補正されねばならない「ＰＩ補正された」ブロック内の任意の間違ったカラムを識別し、間違って「ＰＩ補正された」カラムのみを選択的にＰＯ補正するものであるのに対し、引用発明は、ＰＩ補正されたブロックについてＰＯ補正していない点。
　
４．判断
　
　そこで、上記相違点について検討する。
　
　ＤＶＤフォーマットデータのＥＣＣブロックのエラー訂正処理において、先ず、ＰＩ系列の処理（ＰＩ補正）を行い、次にＰＯ系列の処理（ＰＯ補正）を行うことは極普通のエラー訂正処理の形態である（必要であれば、特開平９−２６５７３０号公報の【従来の技術】【０００８】の記載等参照）。
　そうすると、ＤＶＤフォーマットデータのＥＣＣブロックのエラー訂正処理において、ＰＩ補正を行った後、ＰＯ補正を行うこと、換言すれば、ＰＩ補正されたブロックに基づいて、ＰＩ補正されたブロック内に残っているエラーを判別し、ＰＯシンドロームに基づいて、ＰＯ補正されなければならないＰＩ補正されたブロック内の間違ったカラムのみを選択的にＰＯ補正することは上記慣用技術を適用することにより当業者が適宜なし得る程度のことである。
　
　なお、審判請求人は、審尋に対する回答書において、「本願発明の主要な特徴点は、内部メモリ内に格納されたＮローとＭカラムとを有するアレイとして扱われる以前に発生したＰＯシンドロームデータのすべてのＮローと、ＰＩ補正されたブロックの１つのローとを受信し、循環的に乗算を行うことにより、ＰＯシンドロームデータを更新し、ＰＩ補正されたブロック内に残っているエラーを判断する点にあります」旨主張している。
　しかしながら、本願補正発明には、「以前に発生したＰＯシンドロームデータのすべてのＮローと、ＰＩ補正されたブロックの１つのローとを受信し、循環的に乗算を行うことにより、ＰＯシンドロームデータを更新し、ＰＩ補正されたブロック内に残っているエラーを判断する」に相当する構成はなく、結局、請求人の上記主張は本願補正発明に基づくものではないので採用することはできない。
　そして、上記相違点を総合的に判断しても、本願補正発明が奏する効果は引用例及び慣用技術から当業者が十分に予測できたものであって格別なものとはいえない。
　
　したがって、本願補正発明は、引用例に記載された発明及び慣用技術に基づいて当業者が容易に発明をすることができたものであるから、特許法第２９条第２項の規定により特許出願の際独立して特許を受けることができない。
　
５．本件補正についてのむすび
　
　以上のとおり、本件補正は、平成１８年法律第５５号改正附則第３条第１項によりなお従前の例によるとされる同法による改正前の特許法第１７条の２第５項で準用する同法第１２６条第５項に規定に違反するので、同法第１５９条第１項の規定において読み替えて準用する同法第５３条第１項の規定により却下すべきものである。
　
第３　本願発明
　
１．本願発明について
　
　平成２０年１１月２８日付けの手続補正は上記のとおり却下されたので、本願の請求項１ないし３２に係る発明は、平成２０年７月９日付け手続補正書により補正された特許請求の範囲の請求項１ないし３２に記載されたとおりのものと認められるところ、請求項３２に係る発明（以下「本願発明」という。）は、前記「第２［理由」１．」の本件補正前の「請求項３２」として記載したとおりのものである。
　
２．引用例及びその記載
　
　原査定の拒絶の理由で引用された引用例及びその記載事項は、上記 「第２［理由］２．」に記載したとおりである。
　
３．対比・判断
　
　本願発明は、上記 「第２［理由］１．」で検討した本願補正発明から、「ＰＩ補正されたブロック内に残っているエラーを判別するための」を削除したものである。
　そうすると、本願発明の構成要件を全て含み、さらに他の構成要件を付加したものに相当する本願補正発明が、上記 「第２［理由］３．４．」に記載したとおり、引用例に記載された発明及び慣用技術に基づいて当業者が容易に発明をすることができたものであるから、本願発明も同様の理由により、引用例に記載された発明及び慣用技術から当業者が容易に発明をすることができたものである。
　
４．むすび
　
　以上のとおりであるから、本願の請求項３２に係る発明は、特許法第２９条第２項の規定により特許を受けることができないものである。
　したがって、本願は、その余の請求項について論及するまでもなく拒絶すべきものである。
　
　よって、結論のとおり審決する。